(57)【要約】【課題】  ユーザの嗜好により適合したコンテンツを臨機応変に決定可能にすること。【解決手段】  本発明の通信端末１０は、ユーザが視聴したコンテンツを特定する情報を含む第１コンテンツ情報を格納する第１格納部１２と、他の通信端末１０ａへ第１コンテンツ情報を近距離無線通信によって送信する送信部１９と、他の通信端末１０ａから、他のユーザが視聴したコンテンツを特定する情報を含む第２コンテンツ情報を近距離無線通信によって受信する受信部１１と、受信した第２コンテンツ情報から第１コンテンツ情報によって特定されるコンテンツに関する情報を除外すると共に、第２コンテンツ情報をコンテンツ毎に統計処理することによってコンテンツの順位を決定する決定部１８と、を備える。【選択図】  図２
2007013312.tif 000002
【特許請求の範囲】
【請求項１】
ユーザが視聴したコンテンツを特定する情報を含む第１コンテンツ情報を格納する格納手段と、
他の通信端末へ前記第１コンテンツ情報を近距離無線通信によって送信する送信手段と、
前記他の通信端末から、他のユーザが視聴したコンテンツを特定する情報を含む第２コンテンツ情報を近距離無線通信によって受信する受信手段と、
当該受信した第２コンテンツ情報から前記第１コンテンツ情報によって特定されるコンテンツに関する情報を除外すると共に、前記第２コンテンツ情報をコンテンツ毎に統計処理することによってコンテンツの順位を決定する決定手段と、
を備えることを特徴とする通信端末。
【請求項２】
前記受信手段は、前記ユーザがコンテンツを視聴するための視聴端末から前記第１コンテンツ情報を更に受信して前記格納手段に格納することを特徴とする請求項１に記載の通信端末。
【請求項３】
前記決定手段によって前記順位を決定する際の決定条件を受付ける受付手段を更に備え、
前記決定手段は、前記決定条件に基づいてコンテンツの順位を決定することを特徴とする請求項１又は２に記載の通信端末。
【請求項４】
自己が存在する場所を特定する場所特定手段を更に備え、
前記送信手段は、前記場所特定手段によって特定された前記場所を示す第１場所情報を前記第１コンテンツ情報と関連付けて更に送信し、
前記受信手段は、前記他の通信端末が存在する場所を特定する第２場所情報を第２コンテンツ情報と関連付けて更に受信し、
前記決定条件は、前記他の通信端末の場所を限定する場所条件を含み、
前記決定手段は、前記場所条件に対応する第２場所情報と関連付けられた第２コンテンツ情報に基づいてコンテンツの順位を決定する、
ことを特徴とする請求項３に記載の通信端末。
【請求項５】
前記送信手段は、前記ユーザのプロファイルを示す第１プロファイル情報を前記第１コンテンツ情報と関連付けて更に送信し、
前記受信手段は、前記他のユーザのプロファイルを示す第２プロファイル情報を前記第２コンテンツ情報と関連付けて更に受信し、
前記決定条件は、前記第２プロファイル情報を限定するプロファイル条件を含み、
前記決定手段は、前記プロファイル条件に対応する第２プロファイル情報と関連付けられた第２コンテンツ情報に基づいてコンテンツの順位を決定する、
ことを特徴とする請求項３又は４に記載の通信端末。
【請求項６】
前記第１および第２コンテンツ情報はコンテンツの特徴を示す特徴情報を更に含み、
前記決定条件は、コンテンツの特徴を限定する特徴条件を含み、
前記決定手段は、前記特徴条件に対応する前記特徴情報と関連付けられた情報を前記第２コンテンツ情報から抽出し、当該抽出された情報に基づいてコンテンツの順位を決定する、
ことを特徴とする請求項３〜５のいずれか１項に記載の通信端末。
【請求項７】
前記第１および第２コンテンツ情報は、前記ユーザが前記コンテンツを視聴した回数又は時間を示す視聴情報を更に含み、
前記決定手段は、前記視聴情報に基づいてコンテンツの順位を決定することを特徴とする請求項１〜６に記載の通信端末。
【請求項８】
コンテンツを再生する再生手段と、
当該再生手段によって再生された前記コンテンツを特定する情報を含む第１コンテンツ情報を生成する生成手段と、
前記第１コンテンツ情報を格納する格納手段と、
他の通信端末へ前記第１コンテンツ情報を近距離無線通信によって送信する送信手段と、
前記通信端末から、他のユーザが視聴したコンテンツを特定する情報を含む第２コンテンツ情報を近距離無線通信によって受信する受信手段と、
当該受信した第２コンテンツ情報から前記第１コンテンツ情報によって特定されるコンテンツに関する情報を除外すると共に、前記第２コンテンツ情報をコンテンツ毎に統計処理することによってコンテンツの順位を決定する決定手段と、
当該決定したコンテンツの順位に基づいて前記コンテンツを選択する選択手段と、
当該選択されたコンテンツを前記コンテンツ特定情報に基づいてダウンロードするダウンロード手段と、
を備えることを特徴とする情報処理システム。
【発明の詳細な説明】
【技術分野】
【０００１】
本発明は、通信端末及び情報処理システムに関する。
【背景技術】
【０００２】
従来から、複数の人が視聴した番組又は音楽といったコンテンツの視聴回数を集計して人気のコンテンツを特定する方法が種々提案されている。例えば、下記特許文献１には、複数の通信端末を予め特定し、それらの通信端末のユーザが視聴したコンテンツの視聴情報を取得し、視聴率を算出する視聴情報収集方法が記載されている。
【特許文献１】特開２００４−２４０５０２号公報
【発明の開示】
【発明が解決しようとする課題】
【０００３】
しかしながら、上記特許文献１記載の視聴情報収集方法では、通信端末を予め特定し、情報を送受信するためのアドレス等を取得する必要があり、予めアドレスを取得した通信端末からしか視聴情報を取得できない。つまり、臨機応変にユーザの嗜好に対応した視聴情報を収集することが困難であった。
【０００４】
そこで本発明は、かかる課題に鑑みて為されたものであり、ユーザの嗜好により適合したコンテンツを臨機応変に決定可能な通信端末、視聴端末及び情報処理システムを提供することを目的とする。
【課題を解決するための手段】
【０００５】
上記課題を解決するため、本発明の通信端末は、ユーザが視聴したコンテンツを特定する情報を含む第１コンテンツ情報を格納する格納手段と、他の通信端末へ第１コンテンツ情報を近距離無線通信によって送信する送信手段と、他の通信端末から、他のユーザが視聴したコンテンツを特定する情報を含む第２コンテンツ情報を近距離無線通信によって受信する受信手段と、受信した第２コンテンツ情報から第１コンテンツ情報によって特定されるコンテンツに関する情報を除外すると共に、第２コンテンツ情報をコンテンツ毎に統計処理することによってコンテンツの順位を決定する決定手段と、を備える。
【０００６】
このような通信端末によれば、送信手段が第１コンテンツ情報を送信することにより、ユーザが視聴したコンテンツを特定する情報が他の通信端末へ提供され、受信手段が、他のユーザが視聴したコンテンツを特定する情報を近距離無線通信によって受信することにより、他のユーザが視聴したコンテンツを特定する情報が取得され、決定手段が、ユーザが視聴したコンテンツを除いて、他のユーザが視聴したコンテンツ毎に統計処理を行いコンテンツの順位を決定する。従って、ユーザの周囲に存在する他のユーザから他のユーザが視聴したコンテンツを特定する情報を効率的に取得して、コンテンツの順位を決定するので、ユーザの嗜好により適合したコンテンツを臨機応変に決定することが可能となる。
【０００７】
また、受信手段は、ユーザがコンテンツを視聴するための視聴端末から第１コンテンツ情報を更に受信することも好ましい。この場合、より実情に合ったコンテンツ情報を取得することができる。
【０００８】
更に、本発明の通信端末は、前記決定手段によって順位を決定する際の決定条件を受付ける受付手段を更に備え、決定手段は、決定条件に基づいてコンテンツの順位を決定することを特徴とすることも好ましい。このように、受付手段が決定条件を受付けて、決定手段が決定条件に基づいてコンテンツの順位を決定するので、ユーザの所望の条件に対応してユーザの嗜好により適合したコンテンツを臨機応変に決定することができる。
【０００９】
また更に、本発明の通信端末は、自己が存在する場所を特定する場所特定手段を更に備え、送信手段は、場所特定手段によって特定された場所を示す第１場所情報を第１コンテンツ情報と関連付けて更に送信し、受信手段は、他の通信端末が存在する場所を特定する第２場所情報を第２コンテンツ情報と関連付けて更に受信し、決定条件は、他の通信端末の場所を限定する場所条件を含み、決定手段は、場所条件に対応する第２場所情報と関連付けられた第２コンテンツ情報に基づいてコンテンツの順位を決定する、ことも好ましい。
【００１０】
このように、送信手段が、通信端末の存在する場所を特定する情報を送信することにより、他の通信端末へ通信端末が存在する場所を示す情報を提供し、受信手段が、他の通信端末が存在する場所を特定する第２場所情報を受信し、決定手段が、決定情報に含まれる場所条件に対応する第２場所情報と関連付けられた第２コンテンツ情報に基づいてコンテンツの順位を決定する。従って、ユーザと共に特定の場所に集まった他のユーザが視聴したコンテンツを示す情報を効率的に取得してコンテンツの順位を決定でき、ユーザの好む場所や地域により適合したコンテンツを臨機応変に決定することができる。
【００１１】
また更に、送信手段は、ユーザのプロファイルを示す第１プロファイル情報を第１コンテンツ情報と関連付けて更に送信し、受信手段は、他のユーザのプロファイルを示す第２プロファイル情報を第２コンテンツ情報と関連付けて更に受信し、決定条件は、第２プロファイル情報を限定するプロファイル条件を含み、決定手段は、プロファイル条件に対応するプロファイル情報と関連付けられた第２コンテンツ情報に基づいてコンテンツの順位を決定する、ことも好ましい。
【００１２】
このように、送信手段が、他の通信端末へ第１プロファイル情報を送信することで、第１コンテンツ情報と共にユーザのプロファイル情報を提供し、受信手段が、第２プロファイル情報を受信し、決定手段が、決定条件に含まれるプロファイル条件に対応する第２プロファイル情報と関連付けられた第２コンテンツ情報に基づいてコンテンツの順位を決定する。従って、ユーザの嗜好に適合したプロファイルを持つ他のユーザが視聴したコンテンツを示す情報を簡易に取得して、コンテンツの順位を決定するので、指定する属性を有するユーザが好むコンテンツを臨機応変に決定することができる。
【００１３】
また、更に、第１および第２コンテンツ情報はコンテンツの特徴を示す特徴情報を更に含み、決定条件は、コンテンツの特徴を限定する特徴条件を含み、決定手段は、特徴条件に対応する特徴情報と関連付けられた情報を第２コンテンツ情報から抽出し、抽出された情報に基づいてコンテンツの順位を決定する、ことも好ましい。
【００１４】
このように、決定手段が、第２コンテンツ情報から決定条件に含まれる特徴条件を満たす情報を抽出する。これにより、ユーザが好む特徴を含むコンテンツの中から順位を決定するので、ユーザの嗜好により確実に適合したコンテンツを臨機応変に決定することができる。
【００１５】
また更に、第１および第２コンテンツ情報は、ユーザがコンテンツを視聴した回数又は時間を示す視聴情報を更に含み、決定手段は、視聴情報に基づいてコンテンツの順位を決定することも好ましい。このような構成により、１人のユーザが１つのコンテンツを複数回視聴した場合、又は、コンテンツを最後まで視聴しなかった場合等を加味してコンテンツの順位をより正確に決定することができる。
【００１６】
本発明の情報処理システムは、コンテンツを再生する再生手段と、再生手段によって再生されたコンテンツを特定する情報を含む第１コンテンツ情報を生成する生成手段と、第１コンテンツ情報を格納する格納手段と、他の通信端末へ第１コンテンツ情報を近距離無線通信によって送信する送信手段と、他の通信端末から、他のユーザが視聴したコンテンツを特定する情報を含む第２コンテンツ情報を近距離無線通信によって受信する受信手段と、受信した第２コンテンツ情報から第１コンテンツ情報によって特定されるコンテンツに関する情報を除外すると共に、第２コンテンツ情報をコンテンツ毎に統計処理することによってコンテンツの順位を決定する決定手段と、決定したコンテンツの順位に基づいてコンテンツを選択する選択手段と、選択されたコンテンツをコンテンツ特定情報に基づいてダウンロードするダウンロード手段と、を備える。
【００１７】
このような情報処理システムは、再生手段が、コンテンツを再生し、生成手段が、再生に応じて第１コンテンツ情報を生成し、格納手段が、第１コンテンツ情報を格納し、送信手段が、他の通信端末へ第１コンテンツ情報を近距離無線通信によって送信するので、他の通信端末へ、ユーザが視聴したコンテンツの情報を提供することがでる。また、受信手段が、他の通信端末から、第２コンテンツ情報を近距離無線通信によって受信し、決定手段が、ユーザが視聴したコンテンツを除いて、他のユーザが視聴したコンテンツ毎に統計処理を行いコンテンツの順位を決定し、選択手段が、決定したコンテンツの順位に基づいてコンテンツを選択し、ダウンロード手段が、選択されたコンテンツをコンテンツ特定情報に基づいてダウンロードする。従ってユーザの嗜好により適合したコンテンツを臨機応変に決定して、ダウンロードすることができる。
【発明の効果】
【００１８】
本発明の通信端末、視聴端末及び情報処理システムによれば、ユーザの嗜好により適合したコンテンツを臨機応変に決定することができる。
【発明を実施するための最良の形態】
【００１９】
以下、添付図面を参照して、本発明を実施するための最良の形態を詳細に説明する。なお、図面の説明において同一の要素に同一の符号を付し、重複する説明を省略する。
【００２０】
図１に本実施形態に係る情報処理システム１を説明するための概略図を示す。情報処理システム１は、通信端末１０と、視聴端末２０と、を備えて構成される。通信端末１０は、任意の数の他の通信端末１０ａ〜１０ｃと携帯電話網を介して互いに通話が可能な通信端末であると共に、Bluetooth（登録商標）、無線ＬＡＮ、非接触カード通信等の規格を用いた近距離無線通信によって情報の送受信が可能である。このような通信端末の例としては、携帯電話機、ＰＨＳ（PersonalHandyphone System）、ＰＤＡ（Personal Digital Assistance）といった情報通信機器が挙げられる。他の通信端末１０ａ〜１０ｃは、後述する通信端末１０の機能と同様な機能を有している。
【００２１】
視聴端末２０は、コンテンツ配信サーバ３０からインターネット等のネットワークNを介して音楽、動画等のコンテンツを取得し、それらのコンテンツを再生可能な端末である。例えば、視聴端末２０は、自宅に設置されたテレビ、パーソナルコンピュータ等の情報機器である。更に、視聴端末２０と通信端末１０とは、上述した近距離無線通信によって情報の送受信が可能である。
【００２２】
図２を参照して、通信端末１０及び視聴端末２０の機能的な構成要素について説明する。まず、通信端末１０について説明する。通信端末１０は、受信部１１（受信手段）と、第１格納部１２（格納手段）と、第２格納部１３と、情報取得決定部１４と、場所特定部１５（場所特定手段）と、プロファイル情報受付部１６と、条件受付部１７（受付手段）と、決定部１８（決定手段）と、送信部１９（送信手段）と、を備えている。
【００２３】
受信部１１は、第２コンテンツ情報と、第２場所情報と、他のユーザのプロファイル情報（第２プロファイル情報）と、を他の通信端末１０ａから近距離無線通信によって受信する部分である。第２コンテンツ情報とは、他のユーザが視聴したコンテンツを特定する情報と、コンテンツの特徴を示す特徴情報と、ユーザがコンテンツを視聴した回数及び時間を示す視聴情報と、を含む情報である。
【００２４】
第２コンテンツ情報について図３を参照してより詳しく説明する。図３は、第２コンテンツ情報のフレームフォーマットを示す図である。第２コンテンツ情報は、コンテンツを特定する情報として、コンテンツのＵＲＬとコンテンツの名称を示す情報を含む。コンテンツのＵＲＬ及び名称は、例えばテキストデータ形式である。
【００２５】
また、第２コンテンツ情報は、特徴情報として、コンテンツの形式、ジャンル及び出演者を示す情報を含む。コンテンツの形式とは、具体的には、「動画」、「音楽」、または「テキスト」といったコンテンツのデータ形式を示す情報である。ジャンルの情報とは、具体的には、「映画」、「アニメ」、「スポーツ」、「ニュース」といったコンテンツのジャンルを示す情報である。このジャンル情報は、更に詳細な情報を含むことが好ましく、具体的には、「スポーツ・ゴルフ」、「スポーツ・テニス」、のようにジャンルがスポーツの場合には更にスポーツの種類を示す情報が含まれることが好ましい。出演者の情報は、例えば、スポーツのプレーヤや映画の俳優等の名前がテキストデータ形式で示された情報である。
【００２６】
更に、第２コンテンツ情報は、視聴情報として視聴回数及び視聴時間を示す情報を含む。視聴時間は、コンテンツ全体の長さである再生時間と実際に他のユーザが視聴した時間とを示す情報である。例えば、視聴時間の情報は、１２０分のコンテンツを１２０分間視聴した場合、「全１２０分中、１２０分間視聴」という情報が含まれる。また、例えば、視聴時間の情報は、１２０分のコンテンツを１回目に１００分、２回目に９０分視聴した場合、「全１２０分中、１９０分間視聴」という情報が含まれる。
【００２７】
図２に戻って、受信部１１が受信する第２場所情報とは、他の通信端末１０ａが存在する場所を特定する情報である。この第２場所情報は、他の通信端末１０ａにおける後述する場所特定部１５がＧＰＳを利用して特定した場所を示す情報である。受信部１１が受信する他のユーザのプロファイル情報には、該当するユーザの年齢、性別、職業、及び趣味を示す情報が含まれる（図４参照）。
【００２８】
以下、受信部１１における情報の受信機能について説明すると、まず、受信部１１は、上記第２コンテンツ情報の受信に先立って、周囲に存在する複数の他の通信端末１０ａから他のユーザのプロファイル情報を受信する。受信部１１は、受信した複数の他のユーザのプロファイル情報を情報取得決定部１４へ出力する。情報取得決定部１４により他の通信端末１０ａから第２コンテンツ情報を取得することが決定されると（詳細は後述する）、受信部１１は、第２コンテンツ情報と、第２場所情報と、他のユーザのプロファイル情報と、を受信する。受信部１１は、受信した第２コンテンツ情報と第２場所情報と他のユーザのプロファイル情報とを第２格納部１３へ出力する。
【００２９】
また、受信部１１は、通信端末１０のユーザが視聴したコンテンツを特定する情報を含む第１コンテンツ情報を視聴端末２０から近距離無線通信によって受信する。第１コンテンツ情報には、コンテンツのＵＲＬと、コンテンツの名称と、コンテンツの形式、ジャンル及び出演者を示す情報が含まれている。受信部１１は、第１コンテンツ情報を受信した後、第１コンテンツ情報に対応する視聴時間を示す情報を更新する更新情報（詳細は後述する）を視聴端末２０から受信する。受信部１１は、受信した第１コンテンツ情報および更新情報を第１格納部１２へ出力する。
【００３０】
第１格納部１２は、第１コンテンツ情報を第１データベース１２ａに格納する部分である。すなわち、第１データベース１２ａには、ユーザが視聴したコンテンツのＵＲＬ、名称、形式、ジャンル、出演者、視聴時間、及び視聴回数が関連付けて格納される。視聴時間は、受信部１１が受信する更新情報に基づいて、第１格納部１２によって更新される。
【００３１】
第２格納部１３は、第２コンテンツ情報と、第２場所情報と、他のユーザのプロファイル情報と、を第２データベース１３ａに関連付けて格納する部分である。図５に、第２データベース１３ａに格納されたデータの構成図を示す。第２データベース１３ａには、年齢、性別、職業、趣味、第２場所情報、コンテンツのＵＲＬ、コンテンツの名称、形式、ジャンル、出演者、視聴時間／放送時間および視聴回数が、第２データベース１３ａにおいて他の通信端末を識別する端末名称と関連付けて格納されている。具体的には、年齢が「３２歳」、性別が「男性」、職業が「プロゴルファ」、趣味が「ゴルフ」である端末Ａのユーザが、コンテンツ名称が「ゴルフビデオＡ」、ジャンルが「スポーツ・ゴルフ」、出演者が「出演者Ａ」であるコンテンツを「２回」、「放送時間４０分中８０分間」視聴し、通信端末１０が「板橋ゴルフ練習場」にてこの情報を提供したことを示す情報が、図５の第２データベース１３ａに格納されている。
【００３２】
図２に戻って、情報取得決定部１４は、第２コンテンツ情報を取得するか否か決定する部分である。情報取得決定部１４は、第２コンテンツ情報の受信に先立って受信部１１が受信した他のユーザのプロファイル情報と、予め通信端末１０のユーザによって入力された情報取得条件と、に基づいて第２コンテンツ情報を取得するか否か決定する。情報取得条件とは、他の通信端末１０ａから第２コンテンツ情報を取得するか否かを判断するための条件を示し、受信部１１が受信した他のユーザのプロファイル情報を対象とする条件である。例えば、情報取得条件が、「２４歳以上かつ趣味がゴルフであるユーザが９割以上」という内容である場合、受信部１１が受信した複数の他のユーザのプロファイル情報がこの情報取得条件を満たしていれば、情報取得決定部１４は、第２コンテンツ情報を取得することを決定する。情報取得決定部１４は、第２コンテンツ情報を取得することを決定すると、受信部１１および場所特定部１５へ第２コンテンツ情報を取得する旨の情報を出力する。
【００３３】
場所特定部１５は、通信端末１０が存在する場所を特定する部分である。場所特定部１５は、ＧＰＳを用いた測位によって通信端末１０が存在する位置の緯度及び経度を特定し、緯度経度と場所を示す情報とが関連付けられたサーバ（図示せず）と連携することよって場所を特定し、特定した場所を示す第１場所情報を生成する。第１場所情報が示す場所は、例えば「板橋ゴルフ練習場」、「渋谷クラブ××」等である。場所特定部１５は、情報取得決定部１４から第２コンテンツ情報を取得する旨の情報が出力されると、第１データベース１２ａから第１コンテンツ情報を抽出し、抽出した第１コンテンツ情報に第１場所情報を付加してプロファイル情報受付部１６へ出力する。
【００３４】
プロファイル情報受付部１６は、ユーザからプロファイル情報の入力を受付けて保持する部分である。プロファイル情報受付部１６は、場所特定部１５から第１コンテンツ情報及び第１場所情報が出力されると、第１コンテンツ情報及び第１場所情報にユーザのプロファイル情報を付加して送信部１９へ出力する。また、プロファイル情報受付部１６は、定期的に受信部１１の通信状態をモニターして、通信端末１０と他の通信端末１０ａとの間に近距離無線通信の接続が確立されたことを検知すると、プロファイル情報を送信部１９へ出力する。
【００３５】
条件受付部１７は、コンテンツの順位を決定する際の決定条件を受付ける部分である。決定条件には、場所を限定する場所条件と、プロファイル情報を限定するプロファイル条件と、コンテンツの特徴を限定する特徴条件と、がある。例えば、決定条件として、第２場所情報が「板橋ゴルフ練習場」、かつ、プロファイル情報の性別が「男性」、かつ、視聴情報のジャンルが「スポーツ・ゴルフ」であること、または、第２場所情報が「渋谷クラブ××」、かつ、プロファイル情報の性別が「女性」、かつ、視聴情報のジャンルが「音楽」であること等が受付られる。
【００３６】
決定部１８は、第２格納部１３に格納された第２コンテンツ情報から第１コンテンツ情報によって特定されるコンテンツを除外すると共に、第２コンテンツ情報をコンテンツ毎に統計処理することによってコンテンツの順位を決定する部分である。決定部１８は、受信部１１の通信状態を定期的にモニターして、通信端末１０と視聴端末２０との間に通信の接続が確立されたことを検知すると、第２コンテンツ情報から第１コンテンツ情報によって特定されるコンテンツを除外すると共に、決定条件に適合する情報を第２データベース１３ａから抽出し、コンテンツ毎に「視聴時間／放送時間」を合計する。決定部１８は、「視聴時間／放送時間」の合計値が大きい順にコンテンツの順位を決定し、決定した順位を示す順位情報を生成する。順位情報には、コンテンツのＵＲＬを示す情報とそのコンテンツの順位とが対応付けられている。決定部１８は、決定したコンテンツの順位を示す順位情報を送信部１９へ出力する。
【００３７】
図５を参照して決定部１８によるコンテンツの順位の決定について具体的に説明する。例えば、決定条件が、第２場所情報が「板橋ゴルフ練習場」、かつ、プロファイル情報の性別が「男性」、かつ、視聴情報のジャンルが「スポーツ・ゴルフ」である場合、図５の第２データベース１３ａにおいて対象となるコンテンツは、端末ＡおよびＢと関連付けられた「ゴルフビデオＡ」と端末Ｃと関連付けられた「ゴルフビデオＢ」である。「ゴルフビデオＡ」と関連付けられた「視聴時間／放送時間」は、合計「１７０／４０」であり、「ゴルフビデオＢ」と関連付けられた「視聴時間／放送時間」は、合計「１２０／３０」である。従って、コンテンツの順位は、１位が「ゴルフビデオＡ」、２位が「ゴルフビデオＢ」となる。ここで、第１コンテンツ情報に「ゴルフビデオＡ」が含まれる場合、決定部１８は、「ゴルフビデオＡ」を除外して、「ゴルフビデオＢ」を１位として順位を決定する。
【００３８】
送信部１９は、第１コンテンツ情報と、第１場所情報と、ユーザのプロファイル情報と、を近距離無線通信によって送信する部分である。また、送信部１９は、通信端末１０ａの周囲に存在する複数の他の通信端末１０ａと近距離無線通信の接続が確立されると、第１コンテンツ情報の送信に先立って、プロファイル情報受付部１６が保存するユーザのプロファイル情報を他の通信端末１０ａへ送信する。また、更に、送信部１９は、視聴端末２０と近距離無線通信の接続が確立されると、決定部１８が生成したコンテンツの順位情報を近距離無線通信によって視聴端末２０へ送信する。
【００３９】
引き続いて、視聴端末２０の機能的な構成要素について説明する。視聴端末２０は、コンテンツをディスプレイ及びスピーカ等の出力手段に再生する再生部２１（再生手段）と、生成部２２（生成手段）と、送信部２３と、受信部２４と、選択部２５（選択手段）と、ダウンロード部２６（ダウンロード手段）と、を備えて構成される。
【００４０】
生成部２２は、再生部２１が再生するコンテンツを特定する情報を含む視聴情報を生成する部分である。再生部２１によってコンテンツの再生が開始されると、生成部２２は、コンテンツ配信サーバ３０から送信されたコンテンツの情報及びコンテンツの取得先に基づいて、コンテンツのＵＲＬ、コンテンツの名称、コンテンツの形式、ジャンル及び出演者を示す情報を含む第１コンテンツ情報を生成する。生成部２２は、生成した第１コンテンツ情報を送信部２３へ出力する。また、生成部２２は、再生部２１によるコンテンツの再生開始に応じて、視聴時間を示す情報を更新する更新情報を一定時間毎に生成する。更新情報には、コンテンツのＵＲＬと、ユーザが再生を行った再生時間とが含まれる。生成部２２は、更新情報を生成する毎に、送信部２３へ第１コンテンツ情報に含まれる情報として更新情報を出力する。また、生成部２２は、再生部２１におけるコンテンツが終了または再生が停止されると、最後の更新情報の生成を行い、更新情報の生成を終了する。
【００４１】
送信部２３は、生成部２２によって生成された第１コンテンツ情報および更新情報を通信端末１０へ近距離無線通信によって送信する部分である。
【００４２】
受信部２４は、通信端末１０から近距離無線通信によって順位情報を受信する部分である。受信部２４は、受信した順位情報を選択部２５へ出力する。
【００４３】
選択部２５は、順位情報に基づいて、ダウンロードを行うコンテンツを選択する部分である。選択部２５は、順位情報が示す順位が１位のコンテンツを選択して、選択したコンテンツのＵＲＬをダウンロード部２６へ出力する。
【００４４】
ダウンロード部２６は、選択部２５によって出力されたＵＲＬに基づいてコンテンツをダウンロードする部分である。ダウンロード部２６は、コンテンツ配信サーバ３０へコンテンツの配信を要求してコンテンツを取得する。ダウンロード部２６は、取得したコンテンツを再生部２１へ出力する。また、ダウンロード部２６は、コンテンツの再生を停止する旨の要求をユーザから受付けると、配信を停止する旨を示す配信終了通知をコンテンツ配信サーバ３０へ送信する。
【００４５】
引き続いて、情報処理システム１の動作について説明する。まず、第１コンテンツ情報を格納する際の動作について図６を参照して説明する。図６は、通信端末１０が第１コンテンツ情報を格納する際の情報処理システム１の動作を示すシーケンス図である。
【００４６】
視聴端末２０のダウンロード部２６によって、コンテンツ配信サーバ３０へコンテンツの配信要求がなされる（ステップＳ１０）。コンテンツの配信要求がなされると、コンテンツ配信サーバ３０からコンテンツの配信が開始される(ステップＳ１１)。コンテンツの配信が開始されると、再生部２１によってコンテンツの再生が開始される（ステップＳ１２）。
【００４７】
コンテンツの再生が開始されると、生成部２２によって、第１コンテンツ情報が生成される（ステップＳ１３）。第１コンテンツ情報が生成されると、送信部２３によって第１コンテンツ情報が通信端末１０へ送信される（ステップＳ１４）。第１コンテンツ情報が送信されると、生成部２２によって生成される更新情報の送信が、送信部２３によって開始される（ステップＳ１５）。
【００４８】
コンテンツの再生が終了する（ステップＳ１６）と、配信終了通知がダウンロード部２６によって生成され、コンテンツ配信サーバ３０へ送信され（ステップＳ１７）、コンテンツ配信サーバ３０においてコンテンツの配信が終了する（ステップＳ１９）。
【００４９】
また、コンテンツの再生が終了すると、生成部２２によって最後の更新情報が生成され、送信部２３によって送信され、更新情報の送信が終了する（ステップＳ１８）。更新情報の送信が終了すると、通信端末１０の第１格納部１２によって第１コンテンツ情報が格納される（ステップＳ２０）。
【００５０】
引き続いて、通信端末１０が他の通信端末１０ａから第２コンテンツ情報を取得する際の動作について説明する。図７は、通信端末１０が第２コンテンツ情報を取得する際の情報処理システム１の動作を示すシーケンス図である。
【００５１】
まず、通信端末１０と通信端末１０の周囲に存在する複数の他の通信端末１０ａとの間でプロファイル情報の交換が行われる（ステップＳ４０）。通信端末１０において複数の他のユーザのプロファイル情報が取得され、情報取得決定部１４によって第２コンテンツ情報を取得することが決定されると（ステップＳ４１）、通信端末１０の要求により通信端末１０と他の通信端末１０ａとの間に近距離無線通信の接続が確立される（ステップＳ４２）。
【００５２】
第２コンテンツ情報を取得することが決定されると、近距離無線通信の接続が確立される一方で、通信端末１０の場所特定部１５によって第１場所情報が生成される（ステップＳ４３）。第１場所情報が生成されると、場所特定部１５及びプロファイル情報受付部１６によって、第１コンテンツ情報に第１場所情報及びユーザのプロファイル情報が付加される（ステップＳ４４）。
【００５３】
また、他の通信端末１０ａにおいては、近距離無線通信の接続が確立されると、第２場所情報が生成される（ステップＳ４５）。第２場所情報が生成されると、第２コンテンツ情報に第２場所情報及び他のユーザのプロファイル情報が付加される（ステップＳ４６）。
【００５４】
通信端末１０において、第１コンテンツ情報に第１場所情報及びユーザのプロファイル情報が付加されると、送信部１９によって第１コンテンツ情報と第１場所情報とユーザのプロファイル情報とが他の通信端末１０ａへ送信される（ステップＳ４７）。一方、他の通信端末１０ａにおいては、第２コンテンツ情報に第２場所情報及び他のユーザのプロファイル情報が付加されると、第２コンテンツ情報と第２場所情報と他のユーザのプロファイル情報とが通信端末１０へ送信される（ステップＳ４８）。
【００５５】
通信端末１０の受信部１１によって第２コンテンツ情報、第２場所情報及び他のユーザのプロファイル情報が取得される（ステップＳ４９）。第２コンテンツ情報、第２場所情報及び他のユーザのプロファイル情報が取得されると、取得された第２コンテンツ情報、第２場所情報及び他のユーザのプロファイル情報が第２格納部１３によって格納されて情報が蓄積される（ステップＳ５０）。
【００５６】
引き続いて、通信端末１０が、コンテンツを決定し、視聴端末２０がコンテンツを再生する際の動作について説明する。図８は、通信端末１０が、コンテンツを決定し、視聴端末２０がコンテンツを再生する際の動作を示すシーケンス図である。
【００５７】
通信端末１０の決定部１８によって、決定条件に基づいて第２データベース１３ａから対象となる第２コンテンツ情報が抽出される（ステップＳ５０）。第２コンテンツ情報が抽出されると、決定部１８によって、コンテンツの順位が決定されて、順位情報が生成される（ステップＳ５１）。順位情報が生成されると、送信部１９によって、順位情報が視聴端末２０へ送信される（ステップＳ５２）。
【００５８】
視聴端末２０の受信部２４によって、順位情報が受信されると、選択部２５によってコンテンツが選択される（ステップＳ５３）。コンテンツが選択されると、ダウンロード部２６によって、コンテンツ配信サーバ３０へ選択されたコンテンツの配信要求がなされる（ステップＳ５４）。
【００５９】
コンテンツの配信要求がなされると、コンテンツ配信サーバ３０によってコンテンツの配信が開始される（ステップＳ５５）。コンテンツの配信が開始されると、再生部２１によってコンテンツの再生が開始される（ステップＳ５６）。このようにして、再生するコンテンツを決定してコンテンツを再生する。
【００６０】
以上説明した通信端末１０によれば、送信部１９が第１コンテンツ情報を送信することにより、ユーザが視聴したコンテンツを特定する情報を他の通信端末１０ａへ提供し、受信部１１が、他のユーザが視聴したコンテンツを特定する情報を近距離無線通信によって受信し、決定部１８が、ユーザが視聴したコンテンツを除いて、他のユーザが視聴したコンテンツ毎に統計処理を行いコンテンツの順位を決定する。よって、ユーザの周囲に存在する他のユーザから他のユーザが視聴したコンテンツを特定する情報を効率的に取得して、コンテンツの順位を決定することができる。従って、ユーザの嗜好により適合したコンテンツを臨機応変に決定することが可能となる。
【００６１】
また、通信端末１０は、ユーザがコンテンツを視聴した視聴端末２０から第１コンテンツ情報を受信するので、より実情に合ったコンテンツ情報を取得することができる。
【００６２】
更に、通信端末１０の条件受付部１７が決定条件を受付けて、決定部１８が決定条件に基づいてコンテンツの順位を決定するので、ユーザの所望の条件に対応してユーザの嗜好により適合したコンテンツを臨機応変に決定することができる。
【００６３】
また更に、通信端末１０の送信部１９が、通信端末１０の存在する場所を特定する情報を送信することにより、他の通信端末１０ａへ通信端末が存在する場所を示す情報を提供し、受信部１１が、他の通信端末１０ａが存在する場所を特定する第２場所情報を受信し、決定部１８が、決定条件に含まれる場所条件に対応する第２場所情報と関連付けられた第２コンテンツ情報に基づいてコンテンツの順位を決定する。従って、ユーザと共に特定の場所に集まった他のユーザが視聴したコンテンツを示す情報を効率的に取得してコンテンツの順位を決定でき、ユーザの好む場所や地域により適合したコンテンツを臨機応変に決定することができる。
【００６４】
また更に、通信端末１０の送信部１９が、他の通信端末１０ａへ第１プロファイル情報を送信することで、第１コンテンツ情報と共にユーザのプロファイル情報を提供し、受信部１１が、第２プロファイル情報を受信し、決定部１８が、決定条件に含まれるプロファイル条件に対応する第２プロファイル情報と関連付けられた第２コンテンツ情報に基づいてコンテンツの順位を決定する。従って、ユーザの嗜好に適合したプロファイルを持つ他のユーザが視聴したコンテンツを示す情報を簡易に取得して、コンテンツの順位を決定するので、指定するユーザの属性により適合したコンテンツを臨機応変に決定することができる。
【００６５】
また更に、決定条件が特徴条件を含み、決定部１８が、第２コンテンツ情報から決定条件に含まれる特徴条件を満たす情報を抽出する。これによりユーザが好む特徴を含むコンテンツの中から順位を決定するので、ユーザの嗜好により確実に適合したコンテンツを臨機応変に決定することができる。
【００６６】
また更に、第１および第２コンテンツ情報は、ユーザがコンテンツを視聴した回数又は時間を示す視聴情報を更に含み、決定部１８は、視聴情報に基づいてコンテンツの順位を決定するので、１人のユーザが１つのコンテンツを複数回視聴した場合、又は、コンテンツを最後まで視聴しなかった場合等を加味してコンテンツの順位をより正確に決定することができる。
【００６７】
上述した情報処理システム１によれば、再生部２１が、コンテンツを再生し、生成部２２が、再生部２１によって再生された第１コンテンツ情報を生成し、第１格納部１２が、第１コンテンツ情報を格納し、送信部１９が、他の通信端末１０ａへ第１コンテンツ情報を近距離無線通信によって送信する。これにより、他の通信端末１０ａへ、ユーザが視聴したコンテンツの情報を提供することができる。また、受信部１１が、他の通信端末１０ａから、第２コンテンツ情報を近距離無線通信によって受信し、決定部１８が、ユーザが視聴したコンテンツを除いて、他のユーザが視聴したコンテンツ毎に統計処理を行いコンテンツの順位を決定し、選択部２５が、決定したコンテンツの順位に基づいてコンテンツを選択し、ダウンロード部２６が、選択されたコンテンツをコンテンツ特定情報に基づいてダウンロードする。従ってユーザの嗜好により適合したコンテンツを臨機応変に決定して、ダウンロードすることができる。
【００６８】
上記情報処理システム１によれば、ある特定の場所に居る人々の間で流行っているコンテンツを特定することができる。よって、「渋谷のライブハウスに居る、１８〜２４歳の若者の間で流行している、ヒップホップ系の音楽を聴きたい。」、「投資業界セミナーに参加している３０代の会社員が良く見る、ニュース／情報が知りたい。」、「ディズニーランドに来ている５〜１０歳の子供が良く見る、アニメを知りたい。」、「ある地域のゴルフ練習場に来ている４０代の男性が良く見る、レッスン番組を知りたい」といったユーザの要望に答える情報を情報処理システム１によって提供することができる。
【００６９】
本発明は、上記実施形態に限定されるものではなく、種々の変形が可能である。例えば、上記実施形態では、周囲の他の通信端末１０ａから取得した複数の他のユーザのプロファイル情報に基づいて情報取得決定部１４が、第２コンテンツ情報を取得するか否か決定したが、情報取得決定部１４がユーザによる第２コンテンツ情報を取得する旨の要求を受付けることによって第２コンテンツ情報を取得することを決定してもよい。
【００７０】
また、例えば、上記実施形態において通信端末１０が備える第２格納部１３及び決定部１８を、視聴端末２０が備えて、視聴端末２０において、コンテンツの順位を決定してもよい。この場合、通信端末１０が取得した第２コンテンツ情報を、通信端末１０から視聴端末２０へ送信し、視聴端末２０の第２格納部が、第２コンテンツ情報を格納することによって、第２データベースには第２コンテンツ情報が徐々に蓄積され、視聴端末２０の決定部が第２データベースに格納された第２コンテンツ情報に基づいて、コンテンツの順位を決定する。
【００７１】
更に、通信端末１０が視聴端末２０の再生部２１及び生成部２２の機能を備えて、通信端末１０においてコンテンツを再生して第１コンテンツ情報を生成してもよい。
【図面の簡単な説明】
【００７２】
【図１】本実施形態に係る情報処理システムを説明するための概略図である。
【図２】図１の情報処理システムのブロック構成図である。
【図３】第２コンテンツ情報のフレームフォーマットを示す図である。
【図４】プロファイル情報のフレームフォーマットを示す図である。
【図５】図２の第２データベースに格納されたデータを示す図である。
【図６】本実施形態に係る情報処理システムの動作を示すシーケンス図である。
【図７】本実施形態に係る情報処理システムの動作を示すシーケンス図である。
【図８】本実施形態に係る情報処理システムの動作を示すシーケンス図である。
【符号の説明】
【００７３】
１…情報処理システム、１０…通信端末、１０ａ〜１０ｃ…他の通信端末、１１…受信部、１２…第１格納部、１３…第２格納部、１４…情報取得決定部、１５…場所特定部、１６…プロファイル情報受付部、１７…条件受付部、１８…決定部、１９…送信部、２０…視聴端末、２１…再生部、２２…生成部、３…送信部、２４…受信部、２５…選択部、２６…ダウンロード部、３０…コンテンツ配信サーバ。
【図１】
2007013312.tif 000003
【図２】
2007013312.tif 000004
【図３】
2007013312.tif 000005
【図４】
2007013312.tif 000006
【図５】
2007013312.tif 000007
【図６】
2007013312.tif 000008
【図７】
2007013312.tif 000009
【図８】
2007013312.tif 000010